(57)【特許請求の範囲】
【請求項１】
座標入力用のタブレット上に置いた伝票をペンで押す操作により複数の項目についての伝票情報を項目毎にコンピュータに順次入力する際の入力表示方法であって、各項目についての入力操作に伴うコンピュータの動作が完了する毎に、当該コンピュータに接続されたディスプレイ上に、入力操作に伴うコンピュータの動作が現在何も実行されていないことを示すマークを表示させるとともに、次に入力操作をすべき項目を示すマークを表示させることを特徴とする入力表示方法。
【請求項２】
各項目についての入力操作に伴うコンピュータの動作実行中は、当該項目についての入力操作に伴う動作実行中であることをディスプレイ上に表示させる請求項１記載の入力表示方法。
【請求項３】
各項目についての入力操作に伴うコンピュータの動作完了後は、当該動作により入力された情報をディスプレイ上に表示させる請求項１記載の入力表示方法。
【発明の詳細な説明】
【０００１】
【産業上の利用分野】
本発明は、伝票等の情報をコンピュータに入力する際の入力表示方法に関するものである。
【０００２】
【従来の技術】
例えば商品管理伝票等の伝票情報をコンピュータに入力する場合には、コンピュータのディスプレイ画面に伝票フォーマットを映して、カーソルにより画面上の位置を指定し、キーボードをたたいて所要項目の情報を順次入力するというのが一般的である。また、それとは別に、座標入力用のタブレットを使用し、数値情報の入力にも対応できるタブレット入力用伝票をタブレット上に置いて、スタイラスペン等によりタブレット上で伝票情報の入力を行い、また、ディスプレイに同じ伝票フォーマットを映し、入力された情報を表示させて、確認を行うようにしたものも提案されている。
【０００３】
【発明が解決しようとする課題】
伝票情報等のコンピュータ入力は従来上記のような方法で行っているが、いずれの場合にも、正確で効率のよい入力を行うためには、操作手順等に精通する必要があった。しかし、オペレータは熟練者だけではないし、また、伝票にも色々なフォーマットがあるため、多種多様な伝票の全ての操作手順に精通することは不可能な場合が多い。
【０００４】
本発明はこのような問題点を解決するものであって、コンピュータ入力を、容易に、かつ、正確で効率良く行えるようにすることを目的とする。
【０００５】
【課題を解決するための手段】
本発明は、座標入力用のタブレット上に置いた伝票をペンで押す操作により複数の項目についての伝票情報を項目毎にコンピュータに順次入力する際の入力表示方法であって、各項目についての入力操作に伴うコンピュータの動作が完了する毎に、当該コンピュータに接続されたディスプレイ上に、入力操作に伴うコンピュータの動作が現在何も実行されていないことを示すマークを表示させるとともに、次に入力操作をすべき項目を示すマークを表示させることを特徴とする。
【０００６】
また、各項目についての入力操作に伴うコンピュータの動作実行中は、当該項目についての入力操作に伴う動作実行中であることをディスプレイ上に表示させるのがよい。
【０００７】
また、各項目についての入力操作に伴うコンピュータの動作完了後は、当該動作により入力された情報をディスプレイ上に表示させるのがよい。
【０００８】
本発明の入力表示方法は、コンピュータに接続された座標入力用のタブレットを用いて入力を行う場合に好適である。
【０００９】
【作用】
本発明の入力表示方法によれば、タブレット上の操作によってコンピュータに情報等を入力を行う際に、一つの項目についてコンピュータの一連の動作が完了する毎に、その項目の動作が完了し現在はどの項目についても動作実行中でないことがディスプレイ上に表示され、また、次に入力すべき項目がやはりディスプレイ上に表示される。そして、オペレータはその表示に従って順次入力操作を行えばよい。そのため、操作がわかりやすくなり、入力漏れや誤入力が防止される。また、色々なフォーマットに対応可能である。
【００１０】
また、動作実行中の項目がディスプレイ上にされると、操作過程が一層わかりやすく、動作完了した項目の情報がディスプレイ上に表示されると、入力の確認が容易である。
【００１１】
【実施例】
以下、本発明の実施例を図面に基づいて説明する。
【００１２】
図１は本発明の一実施例に使用する装置の全体図である。この実施例は、伝票情報のコンピュータ入力に本発明を適用した例であり、図１において、１は座標入力用のタブレットであり、２はタブレット１上の位置を指定して座標情報を通知するためのスタイラスペン（以下、単にペンという。）である。また、３はタブレット１によって生成された座標信号を演算処理するコンピュータであり、４はコンピュータ３に接続されたディスプレイ（ＣＲＴ）である。また、５はタブレット入力用伝票（以下、単に伝票という。）であって、タブレット１上の所定位置にセットされた状態を示す。
【００１３】
伝票５は、例えば置き薬用の商品管理伝票であって、図２にその伝票フォーマットの概略を示す。図２において、１１は伝票名であり、「商品管理伝票」と印刷されている。また、１２，１３および１４は、それぞれ社名欄，得意先欄，日付欄であって、社名欄１２には社名，住所，電話番号等が印刷され、得意先欄１３は、得意先名および住所を記入するようになっており、日付欄１４は、訪問日を記入するようになっている。また、１５，１６および１７は、それぞれ詳細後述の伝票別コード検索欄，ＴＥＬ検索欄および時刻入力欄である。
【００１４】
伝票中央部には、標準的に配置する配置商品の入力欄１８およびその小計欄１９が左に設けられ、標準配置以外の一般商品の入力欄２０，一覧検索欄２１および小計記入欄２２と、合計欄２３と、入金チェック欄２４と、繰越欄２５が右に設けられている。
【００１５】
伝票別コード検索欄１５は、図３に示すとおりであって、伝票別コード検索選択キー（「Ｎｏ」）１５ａと、「１」〜「９」および「０」のテンキー１５ｂと、演算指示キー（「＝」）１５ｃと、修正キー（「ｃ」）１５ｄが印刷されている。
【００１６】
ＴＥＬ検索欄１６は、図４に示すとおりであって、ＴＥＬ検索選択キー（「ＴＥＬ検」）１６ａと、「１」〜「９」および「０」のテンキー１６ｂと、演算指示キー（「＝」）１６ｃと、修正キー（「ｃ」）１６ｄが印刷されている。
【００１７】
時刻入力欄１７は、図５に示すとおりであって、時計文字盤の１２個の文字位置に対し半径方向に２個ずつ並び、全体として内側と外側に１２個ずつ円周状に並ぶよう配列された計２４個の時刻マーク１７ａ，１７ｂが設けられ、それぞれに対応する時刻表示の数字１７ｃ，１７ｄが印刷されている。また、文字盤の中央には午前入力キー（「ＡＭ」）１７ｅと午後入力キー（「ＰＭ」）１７ｆが設けられている。
【００１８】
配置商品の入力欄１８は、図６に示すとおりであって、品目毎に行を変えて、前回置数，今回置数，品名，価格，消費数および消費金額の各エリアが設けられている。そして、今回置数エリアには今回置数入力指定キー１８ａが、また、消費数エリアには消費数入力指定キー１８ｂが印刷され、品名エリアには「１」〜「９」および「０」のテンキー１８ｃと演算指示キー（「＝」）１８ｄが印刷されている。また、品名エリアには標準商品の品名がそれぞれ印刷され、価格エリアにそれぞれの通常価格が印刷されている。また、前回置数エリアおよび消費金額エリアは空欄となっている。
【００１９】
配置商品の小計欄１９には、図７に示すように、配置商品小計指定キー１９ａと、値引き入力指定キー１９ｂが印刷され、また、値引き入力のための「１」〜「９」および「０」のテンキー１９ｃ，百桁と千桁の桁揃えキー１９ｄ，演算指定キー（「＝」）１９ｅ，修正キー（「ｃ」）１９ｆ等が印刷されている。
【００２０】
一般商品の入力欄２０は、図８に示すとおりであって、配置商品の入力欄１８と同様、品目毎に行を変えて、前回置数，今回置数，品名，価格，消費数および消費金額の各エリアが設けられ、今回置数エリアには今回置数入力指定キー２０ａが、また、消費数エリアには消費数入力指定キー２０ｂが印刷され、品名エリアには「１」〜「９」および「０」のテンキー２０ｃと演算指示キー（「＝」）２０ｄが印刷されている。また、品名エリアには配置商品以外で得意先別に売れ筋となっている品目について品名が印刷され、価格エリアにそれぞれの通常価格が印刷されている。また、前回置数エリアおよび消費金額エリアは空欄となっている。
【００２１】
一覧検索欄２１は、図９に示すとおりであって、配置商品一覧検索キー２１ａと、一般商品一覧検索キー２１ｂと、特売検索キー２１ｃが設けられるとともに、頭文字検索用に、「Ａ」，「Ｋ」，「Ｓ」，「Ｔ」，「Ｎ」，「Ｈ」，「Ｍ」，「Ｙ」，「Ｒ」および「Ｗ」の行頭キー２１ｄと、「Ａ」，「Ｉ」，「Ｕ」，「Ｅ」および「Ｏ」の母音キー２１ｅと、「１」〜「９」および「０」のテンキー２１ｆが、３段に設けられ、また、上下シフトキー２１ｇ，２１ｈと、決定キー２１ｉと、修正キー（「ｃ」）２１ｊと、演算指定キー（「＝」）２１ｋが設けられ、さらに、販売指定キー２１ｍ，委託指定キー２１ｎおよびサービス指定キー２１ｐが設けられ、また、一般商品小計指定キー２１ｑが設けられている。
【００２２】
小計記入欄２２は、一般商品小計を手書き記入する欄とされている。
【００２３】
合計欄２３は、図１０に示すとおりであって、消費税込合計指定キー２３ａと、消費税値引き入力指定キー２３ｂが印刷され、値引き入力のための「１」〜「９」および「０」のテンキー２３ｃ，百桁と千桁の桁揃えキー２３ｄ，演算指定キー（「＝」）２３ｅ，修正キー（「ｃ」）２３ｆ等が印刷され、また、合計額，消費税額および総合計額を手書き記入するエリアが設けられている
入金チェック欄２４は、図１１に示すとおりであって、合計確認キー２４ａと、受取額入力指定キー２４ｂが印刷され、受取額入力のための「１」〜「９」および「０」のテンキー２４ｃ，百桁と千桁の桁揃えキー２４ｄ，演算指定キー（「＝」）２４ｅ，修正キー（「ｃ」）２４ｆが設けられ、また、引き落し，小切手，振込および掛けの各指定キー２４ｇ，２４ｈ，２４ｉ，２４ｊと、現金支払指定キー２４ｋが設けられ、振替，手形，振込確認，残引上，完了・次伝票の各キー２４ｍ，２４ｎ，２４ｐ，２４ｑ，２４ｒが設けられ、また、チェック完了キー２４ｓが設けられている。
【００２４】
繰越欄２５は、前回繰越額，消費税込受取合計額および今回繰越額を手書き記入するエリアが設けられている。
【００２５】
伝票５は、例えば上記フォーマットの置き薬用商品管理伝票の場合に、ノーカーボン紙とされ、入力用のキー以外、同じ位置に同じ文字，図柄および罫線を印刷し同じフォーマットとした納品書が重ねられる。そして、営業スタッフが、予め、得意先名，電話番号，品目毎の前回置数等を記入し、また、訪問時に、品目毎の今回置数，消費数，値引き額，合計額，訪問日時等を手書き記入する。そして、納品書は剥がして得意先に置き、商品管理伝票である２枚目だけを持ち帰るようにする。
【００２６】
営業後持ち帰られた伝票５は、コンピュータ３に接続されたタブレット１の定位置に置かれる。伝票５を置く位置は、所定の座標基準点に合わせて、例えば図１のようにタブレット１の左上一杯というように予め規定される。また、伝票５の例えば左上と右下の２箇所に座標基準点マークを印刷すれば、タブレット１の上に置いたときに、この座標基準点マークをペン２で押すことによって座標基準点を設定するが可能で、その場合には、伝票５を置く位置は任意である。こうして座標基準点が設定され、後述の操作によって伝票の種類がコンピュータ３により判別されると、ペン２でタブレット１に与えられた座標情報に対応するＸ，Ｙ座標値が伝票フォーマットのどの位置かが判別され、そして、テンキーにより数値情報が入力され、あるいは演算処理が行われて、その結果が入力される。
【００２７】
伝票５をタブレット１の上に置いて座標基準点を設定した後の操作は、デイスプレイ４の画面表示によって順次指示・案内される。図１２〜図２９は、この実施例の入力操作を指示・案内する画面の一例である。以下、画面順に伝票情報の入力操作を説明する。
【００２８】
図１２は、営業担当の氏名（「〇〇  〇〇」）およびコード番号（「４００１」）が入力され表示された後、コンピュータ３が何の動作も実行していない状態（ニュートラル）の画面である。この画面では、「伝票別コード」，「ＴＥＬ検」，「時刻入力」および「ワンタッチ」と、「ニュートラル」と、「配置商品入力」および「小計」と、「一般商品入力」および「消費税値引き」と、「入金チェック」の各入力項目が一覧表示される。そして、「ニュートラル」の位置に、赤色等の動作マーク１０１が表示され、「伝票別コード」と「ＴＥＬ検」の位置に穴が空いたような形の次項目マーク１０２が表示される。この画面は、現在何の動作も実行中でないことを示すとともに、次にできる操作が、伝票別コードあるいは電話番号による伝票の種類および得意先名の検索であることを示している。そこで、例えば伝票別コード検索を行う場合には、タブレット１の上の伝票５の伝票別コード検索選択キー１５ａをペン２で押し、次いで、テンキー１５ｂによって伝票コードを入力する。
【００２９】
図１３および図１４は、上記伝票別コード検索の動作実行中を示す画面である。伝票別コードが入力されると、まず、図１３の画面となる。この画面では、「伝票別コード」の位置に動作マーク１０１があり、次項目マークは表示されない。そして、入力動作中の伝票別コードが、図の例では「３４６９０」であることが表示され、次いで、図１４の画面に変わって、検索された伝票番号が、図の例では「０００１」と表示される。そして、この一連の動作が完了すると、図１５の画面に変わる。
【００３０】
また、図１２の画面で、伝票別コ−ド検索ではなく、ＴＥＬ検索を行う場合は、ＴＥＬ検索キー１６ａを押し、テンキー１６ｂによって電話番号を入力する。この場合も、やはり画面は図１３および図１４を経て図１５に変わるが、図１３および図１４は動作マーク１０１が「ＴＥＬ検」の位置に付いたものとなる。
【００３１】
図１５の画面では、図１４の伝票別コードと検索番号の表示が消え、代わりに、得意先名（「ＰＰＰＰＰＰＰ」）と電話番号（〇〇〇〇−〇〇−〇〇〇〇）が表示され、また、画面上部に伝票番号および決算期が表示される。また、この画面は、「ニュートラル」の位置に動作マーク１０１が表示されて、現在何の動作も実行中でないことを示し、また、次にできる操作が配置商品入力であることを次項目マーク１０２によって示している。そこで、伝票５の配置商品の入力欄１８において、最初の品目について、まず、今回置数入力指定キー１８ａを押し、次いで、テンキー１８ｃによって今回の置数を入力する。すると、画面は図１６のように変わる。
【００３２】
図１６は、配置商品の最初の品目について、今回置数の入力動作実行中を示す画面であって、「配置商品入力」の位置に動作マーク１０１が付く。そして、入力中の品名（「ＡＡＡＡＡＡ」）とともに、「前回」，「今回」，「消費」，「売価」および「金額」の表示が出て、そのうち、「今回」の部分は反転表示となり、「前回」の位置には前回の置数が、例えば「４」と表示され、「売価」の位置には、例えば「７５０」と表示される。また、入力中の今回置数が、枠付きで、例えば「６」と表示される。そして、この最初の品目について今回置数入力の動作が完了すると、図１７の画面に変わる。
【００３３】
図１７の画面では、入力中の今回置数の表示が消え、画面左上に動作完了の今回置数が例えば「６」と表示され、また、品名に並ぶ「今回」の位置に、入力された値、例えば「６」が表示される。また、「ニュートラル」の位置に動作マーク１０１が付いて、現在何の動作も実行されていないことが表示されるとともに、「配置商品入力」の位置に次項目マーク１０２が付き、新たな入力が可能であることが表示される。そこで、同じ品目について、消費数入力指定キー１８ｂを押し、次いで、テンキー１８ｃによって今回の消費数を入力する。すると、画面は図１８のように変わる。
【００３４】
図１８は、配置商品の最初の品目について、消費数の入力動作実行中を示す画面であって、「配置商品入力」の位置に動作マーク１０１が付く。そして、反転表示が「今回」から「消費」に変わり、入力中の消費数が、例えば「５」と表示される。そして、この消費数入力の動作が完了すると、図１９の画面に変わる。
【００３５】
図１９の画面では、入力中の消費数の表示が消え、画面左上の動作完了の消費数が例えば「５」と表示され、また、品名に並ぶ「消費」の位置に、入力された値、例えば「５」が表示される。また、「ニュートラル」の位置に動作マーク１０１が付いて、現在何の動作も実行されていないことが表示されるとともに、「配置商品入力」の位置と「小計」の位置に次項目マーク１０２が付く。これで最初の品目について数値入力が終わったことになる。そこで、配置商品の次の品目について、同様の操作を行って、今回置数を入力し、消費数を入力し、順次これを繰り返す。そして、最後に、最終品目の入力における図１９と同様の画面が出た後に、小計の操作に移る。伝票５の配置商品の小計欄１９の配置商品小計指定キー１９ａを押し、次いで、値引き入力指定キー１９ｂを押して、テンキー１９ｃで値引き額（図の例では４０円）を入力する。すると、図２０の画面に変わる。
【００３６】
図２０は、小計実行中の画面である。この画面では、配置商品の品目名等が消え、配置商品消費額の小計（図の例では８,０００円）から値引き額（図の例では４０円）を引いた値として、小計（図の例では７,９６０円）が表示され、その入力動作が実行される。また、値引き額は枠付で表示され、「小計」の位置に動作マーク１０１が付く。そして、この動作が完了すると、図２１の画面に変わる。
【００３７】
図２１の画面では、値引き額の表示から枠が取れる。そして、「ニュートラル」の位置に動作マーク１０１が付いて、現在何の動作も実行されていないことが表示され、また、「一般商品入力」の位置に次項目マーク１０２が付いて、一般商品について入力が可能であることが表示される。そこで、一般商品の数値入力に移り、入力伝票５の一般商品の入力欄２０を使って、配置商品の場合と同様の手順で各品目の数値情報を入力する。その際、品目毎に今回置数入力指定キー２０ａを押して、テンキー２０ｃで入力し、次いで、消費数入力指定キー２０ｂを押し、テンキー２０ｃで入力する。
【００３８】
図２２は、一般商品の最初の品目について、今回置数の入力が完了した後、消費数入力に入った後の動作中を示す画面であって、「一般商品入力」の位置に動作マーク１０１が付く。そして、入力中の品名（「ａａａａａａ」）とともに、「前回」，「今回」，「消費」，「売価」および「金額」が表示が出て、そのうち、「消費」の部分が反転表示で、「売価」の位置には例えば「２８０」と表示されている。また、「前回」の位置には例えば「２」と表示され、「今回」の位置には、入力済の例えば「５」が表示されている。また、入力中の消費数が、枠付で、例えば「３」と表示される。そして、この入力動作が完了すると、図２３の画面に変わる。
【００３９】
図２３の画面では、入力中の消費数の表示が消え、画面左上の動作完了の消費数が例えば「３」となり、また、品名に並ぶ「消費」の位置に、入力された値、例えば「３」が表示され、「金額」の位置に例えば「８４０円」と表示される。また、「ニュートラル」の位置に動作マーク１０１が付いて、現在何の動作も実行されていないことが表示されるとともに、「一般商品入力」の位置と「消費税引き」の位置に次項目マーク１０２が付く。これで一般商品の最初の品目について数値入力が終わったことになる。そこで、一般商品の次の品目について、同様の操作を行い、順次これを繰り返す。そして、最後の品目の入力が終わり、図２３と同様の画面が出た後に、合計入力のための操作に移る。すなわち、伝票５の一覧検索欄２１の一般商品小計指定キー２１ｑを押した後、合計欄２３の消費税込合計指定キー２３ａを押し、さらに、消費税値引き入力指定キー２３ｂを押して、テンキー２３ｃで値引き額（図の例では３８円）を入力する。すると、図２４の画面に変わる。
【００４０】
図２４は、合計実行中の画面である。この画面では、配置商品の小計（図の例では８,０００円）から値引き額（図の例では４０円）を引いた小計（図の例では７,９６０円）が表示されるとともに、その配置商品の小計に一般商品の小計と消費税を加えた消費税含合計額（図の例では１６,２３８円）から、消費税値引き額（図の例では３８円）を引いた値が小計（図の例では１６,２００円）が表示される。そして、配置商品小計の例えば「７,９６０」と、一般商品小計から消費税値引き額を引いた値である例えば「８,０２０」と、これらの総合計である例えば「１６,２００」とが表示され、また、配置商品合計（配置商品の小計と値引き額との合計）の例えば「８,１９８」と、一般商品合計（一般商品の小計と消費税値引き額の合計）の例えば「８,０４０」と、それらを合計した値である消費税含合計の例えば上記「１６,２３８」とが表示される。また、上記消費税値引き額は枠付の表示とされ、「消費税値引き」の位置に動作マーク１０１が付く。そして、この動作が完了すると、図２５の画面に変わる。
【００４１】
図２５の画面では、消費税値引き額の表示から枠が取れる。そして、「ニュートラル」の位置に現項目マーク１０１が付いて、現在何の動作も実行されていないことが表示され、また、「時刻入力」の位置に次項目マーク１０２が付いて、時刻入力が可能であることが表示される。そこで、伝票５の時刻入力欄１７を使って訪問時間を入力する。この例の場合、時刻入力は、時刻入力欄１７の内側の時刻マーク１７ａを時計の短針に見立て、外側の時刻マーク１７ｂを長針に見立て、午前入力キー１７ｅあるいは午後入力キー１７ｆを押した後、時刻マーク１７ａ，１７ｂを押すことによって５分単位で入力する。すると図２６の画面に変わる。
【００４２】
図２６は、時刻入力の動作実行中であることを示す画面であって、「時刻入力」の位置に動作マーク１０１が付き、入力中の時刻情報が枠付で表示される。そして、この動作が完了すると、図２７の画面に変わる。
【００４３】
図２７の画面では、時刻の表示から枠が取れる。そして、「ニュートラル」の位置に動作マーク１０１が付いて、現在何の動作も実行されていないことが表示され、また、「入金チェック」の位置に次項目マーク１０２が付いて、次の操作は入金チェックであることが表示される。そこで、まず、総合計額の例えば上記１６,２００円が、営業サイドで計算され手書きで記入された額と一致するかどうかのチェックを行って、一致すれば、伝票５の入金チェック欄２４の合計確認キー２４ａを押し、次いで、受取額入力指定キー２４ｂを押し、テンキー２４ｃによって受取額を入力する。また、現金で受け取った場合は現金支払指定キー２４ｋを押す。すると、図２８の画面に変わる。
【００４４】
図２８は入金チェックの動作実行中であることを示す画面であって、「入金チェック」の位置に動作マーク１０１が付き、受取額と受取方法（この例では現金）が表示される。また、前回繰越額と総合計の和から受取額を差し引いた値が、今回繰越額として表示される。そして、動作が完了すると、図２９の画面に変わり、「ニュートラル」の位置に動作マーク１０１が付き、チェック完了キー２４ｓを押すと終了する。
【００４５】
なお、上記実施例においては、置き薬用の商品管理伝票に手書き記入した伝票情報をコピュータ入力する場合を説明したが、本発明の入力表示方法は、その他の伝票のコピュータ入力にも適用できることは言うまでもない。
【００４６】
【発明の効果】
本発明によれば、操作手順に精通していなくても、ディスプレイ上の指示・案内に従うことによって正確でかつ効率のよいコピュータ入力を行うことができ、しかも、多種多様のフォーマットに対応できる。
【図面の簡単な説明】
【図１】  本発明の一実施例に使用する装置の全体図
【図２】  本発明の一実施例における伝票フォーマットの概略図
【図３】  本発明の一実施例における伝票の伝票別コード検索欄のレイアウト図
【図４】  本発明の一実施例における伝票のＴＥＬ検索欄のレイアウト図
【図５】  本発明の一実施例における伝票の時刻入力欄のレイアウト図
【図６】  本発明の一実施例における伝票の配置商品の入力欄のレイアウト図
【図７】  本発明の一実施例における伝票の配置商品の小計欄のレイアウト図
【図８】  本発明の一実施例における伝票の一般商品の入力欄のレイアウト図
【図９】  本発明の一実施例における伝票の一覧検索欄のレイアウト図
【図１０】  本発明の一実施例における伝票の合計欄のレイアウト図
【図１１】  本発明の一実施例における伝票の入金チェック欄のレイアウト図
【図１２】  本発明の一実施例におけるディスプレイ画面を示す図（その１）
【図１３】  本発明の一実施例におけるディスプレイ画面を示す図（その２）
【図１４】  本発明の一実施例におけるディスプレイ画面を示す図（その３）
【図１５】  本発明の一実施例におけるディスプレイ画面を示す図（その４）
【図１６】  本発明の一実施例におけるディスプレイ画面を示す図（その５）
【図１７】  本発明の一実施例におけるディスプレイ画面を示す図（その６）
【図１８】  本発明の一実施例におけるディスプレイ画面を示す図（その７）
【図１９】  本発明の一実施例におけるディスプレイ画面を示す図（その８）
【図２０】  本発明の一実施例におけるディスプレイ画面を示す図（その９）
【図２１】  本発明の一実施例におけるディスプレイ画面を示す図（その１０）
【図２２】  本発明の一実施例におけるディスプレイ画面を示す図（その１１）
【図２３】  本発明の一実施例におけるディスプレイ画面を示す図（その１２）
【図２４】  本発明の一実施例におけるディスプレイ画面を示す図（その１３）
【図２５】  本発明の一実施例におけるディスプレイ画面を示す図（その１４）
【図２６】  本発明の一実施例におけるディスプレイ画面を示す図（その１５）
【図２７】  本発明の一実施例におけるディスプレイ画面を示す図（その１６）
【図２８】  本発明の一実施例におけるディスプレイ画面を示す図（その１７）
【図２９】  本発明の一実施例におけるディスプレイ画面を示す図（その１８）
【符号の説明】
１  タブレット
２  スタイラスペン
３  コンピュータ
４  ディスプレイ
５  タブレット入力用伝票
１０１  動作マーク
１０２  次項目マーク
【図１】
0003993900.tif 000002
【図２】
0003993900.tif 000003
【図３】
0003993900.tif 000004
【図４】
0003993900.tif 000005
【図５】
0003993900.tif 000006
【図６】
0003993900.tif 000007
【図７】
0003993900.tif 000008
【図８】
0003993900.tif 000009
【図９】
0003993900.tif 000010
【図１０】
0003993900.tif 000011
【図１１】
0003993900.tif 000012
【図１２】
0003993900.tif 000013
【図１３】
0003993900.tif 000014
【図１４】
0003993900.tif 000015
【図１５】
0003993900.tif 000016
【図１６】
0003993900.tif 000017
【図１７】
0003993900.tif 000018
【図１８】
0003993900.tif 000019
【図１９】
0003993900.tif 000020
【図２０】
0003993900.tif 000021
【図２１】
0003993900.tif 000022
【図２２】
0003993900.tif 000023
【図２３】
0003993900.tif 000024
【図２４】
0003993900.tif 000025
【図２５】
0003993900.tif 000026
【図２６】
0003993900.tif 000027
【図２７】
0003993900.tif 000028
【図２８】
0003993900.tif 000029
【図２９】
0003993900.tif 000030